(57)【要約】【課題】公共輸送機関関連施設や街頭等の人が多く集まる場所においての、効果的な広告モデルと、核となるシステムの提供。【解決手段】広告媒体に広告以外の対象者に有益な情報を提供する機能を備えることにより、広告媒体へ対象者を誘導し、広告効果を高める。【選択図】　図１
2004045619.tif 000002
【特許請求の範囲】
【請求項１】
スケジューリングされたコンテンツの表示、いわゆるＰＵＳＨ型の情報発信機能と、対象者の操作でコンテンツをオンデマンド的に表示する、いわゆるＰＵＬＬ型の情報発信機能を備えることを特徴とした誘導型電子広告システム。
【請求項２】
表示されるコンテンツに関連付けされたデータを印刷する機能を持つことを特徴とする請求項１記載の誘導型電子広告システム。
【請求項３】
対象者自身が欲しい情報を自己操作により得ることができる機能を備えることにより、対象者を請求項１記載の誘導型電子広告システムへと誘導し、広告効果を高める方法。
【請求項４】
請求項２記載の印刷機能により出力される印刷物の特定領域に広告を載せ、広告効果を計る方法。
【請求項５】
請求項２記載の印刷機能により出力される印刷物に割引券等のクーポン券を含み、利用者増と媒体価値の向上を計る方法。
【発明の詳細な説明】
【０００１】
【発明の属する技術分野】
本発明は、高い広告効果を実現するモデルと、実現手段としての電子広告システムの分野に属する。
【０００２】
【従来の技術】
かねてより駅や空港などの公共輸送機関関連施設では、電光掲示板やポスター等の静止媒体を使って広告を行っている例が多数存在しており、近年、スケジューリングされたデジタルコンテンツを更新表示させる電子広告システムへの移行が一部計られているが、どれも投資に見合う満足な結果が得られていないのが実情である。
【０００３】
これらは、乗降客である対象者（以下、「対象者」という）が歩行する等の静止状態にない為に見せることが極めて難しく、非常に効果が出難い環境であることが最大の要因であるが、広告を行う媒体自体が専用メディアとして広告を行う側のシーズ中心に構築されており、潜在的に対象者の興味を引き難い存在となっていることも無視できない。
【０００４】
これらの問題点克服方法として、広告媒体自身、または周辺にＬＥＤ等の装置を設置し、ニュース等の情報を表示することにより、媒体自身への注目度アップから広告効果向上を狙ったケースも見受けられるが、ニュースだけで大幅な改善を計ることは困難であり、総じて、現在の既設メディアについては広告主が期待する投資効果が出せるものは皆無といっても過言ではない状況にある。
【０００５】
【発明が解決しようとする課題】
本発明は上記問題点に鑑みなされたもので、駅や空港などの公共輸送機関関連施設における広告メディアとして、有効に作用するシステムを実現することを課題とする。
また、街頭や商業施設、その他、多くの人が集まる場所において行われている広告についても、従来の技術項目欄記載内容と同じ問題を抱えており、本発明はこうした問題を抱える広告メディア全般について有効なものとすることを課題とする。
【０００６】
【課題を解決するための手段】
本発明は広告だけではなく駅や空港などの公共輸送機関関連施設を利用する対象者に時刻表や乗り換え案内、施設内案内、周辺地図、近隣施設案内、輸送機関からのお知らせ等の有益な情報提供を行う機能を付加することにより、広告主だけではなく対象者をも受益者とし、媒体へ対象者を誘導することにより広告効果向上を計るものである。スケジューリングされた広告の表示を行う広告部と、対象者の操作でコンテンツがオンデマンド的に表示される情報提供部と、ニュースを表示するニュース表示部、及び広告部または情報提供部コンテンツの関連情報印刷を行う印刷部から成る機能を備える。
【０００７】
【発明実施の形態】
本発明による誘導型電子広告システムについて、図を用いて詳細に説明する。先ず、本発明による対象者誘導型広告システムの概要を説明する。図１は対象者誘導型広告システムを介して、広告主であるスポンサーと対象者双方が利益を享受するモデルを指す図である。一方的に広告露出のみを行う従来の広告メディア媒体とは異なり、地理的に不案内な対象者への各種案内サービスや周辺情報、その他、対象者に有益な情報を提供する機能を備えることにより、通行する対象者を積極的に誘導型電子広告システムへと誘導を計り、広告効果向上を計ることができる。
【実施例】
図２は実施例として、例えば駅に設置された本発明による誘導型電子広告システムにより、例えばタッチパネル付のプラズマディスプレイ等の表示装置にニュースや広告、各種情報から成るコンテンツを表示し、運用を行う例を指す図である。この場合の表示項目であるニュース部、広告表示部、情報提供部、それぞれについては表示位置や大きさは自由に設定ができ、ニュース部については必要に応じて構成から外す事も可能である。また、表示ディスプレイの向きとなる長短辺は自由に設定が可能で有り、且つ表示媒体自身と対象者の操作に必要なポインティングデバイスは自由な組合せができ、例えばスクリーンに投影するプロジェクターと、コンピュータマウスといった構成でも行える。
【０００８】
図３は実施例として、例えば駅に設置された本発明による誘導型電子広告システムの広告部に表示されたコンテンツ例を指す図である。この場合のコンテンツは動画、静止画、図形、文字、音声の一部、または組合せ、或いはその全てから構成されるが、スケジューリングされたデータに基づき自動更新表示が成される。また、画面中に表示される例えば印刷ボタンを押すことにより、表示中の広告と連動した情報、例えばカタログやパンフレット、クーポン券等がプリンターより出力される。尚、この場合の印刷指示を行う操作は画面中に表示される印刷ボタンだけではなく、外部デバイス、例えばメイク接点信号を発する押ボタンスイッチでも行える。
【０００９】
図４は実施例として、例えば駅に設置された本発明による誘導型電子広告システムの情報提供部に表示されたコンテンツ例を指す図である。この場合のコンテンツは動画、静止画、図形、文字、音声の一部、または組合せ、或いはその全てから構成されるが、対象者の操作によって選択したコンテンツが表示される。この場合のコンテンツはコンピュータ内部、またはローカルエリアネットワーク、インターネット等のネットワークによって繋がった外部データベースから供給を行う。また、検索を行って必要な情報を表示させることも行える。
【００１０】
図５は実施例として、例えば駅に設置された本発明による誘導型電子広告システムの情報提供部から対象者の操作により出力された、例えば地図印刷物の例を指す図である。この場合の印刷物には広告が設定に応じて印刷される。
【００１１】
図６は実施例として、例えば駅に設置された本発明による誘導型電子広告システムの広告部、または情報提供部例から対象者の操作により出力された例えばクーポン券としての印刷物の例を指す図である。
【００１２】
【発明の効果】
以上説明したように、本発明は駅や空港などの公共輸送機関関連施設における広告メディアとして、対象者を受益者とすることにより、従来の一方的な広告露出を行う媒体方式と比較して大幅な広告効果増を計ると共に、利用者の便に供することが可能となる。また、周辺情報を提供することにより、対象者の周辺地域への誘導促進を行う為に該地域の活性化にも寄与することができる。
【図面の簡単な説明】
【図１】誘導型電子広告システムのモデルを指す図である。
【図２】誘導型電子広告システムのコンテンツ構成例を指す図である。
【図３】誘導型電子広告システムの広告部に表示されたコンテンツ例を指す図である。
【図４】誘導型電子広告システムの情報提供部に表示されたコンテンツ例を指す図である。
【図５】誘導型電子広告システムの情報提供部から対象者の操作により出力された印刷物の例を指す図である。
【図６】誘導型電子広告システムの広告部、または情報提供部例から対象者の操作により出力された例えばクーポン券としての印刷物の例を指す図である。
【符号の説明】
１　対象者
２　誘導型電子広告システム
３　広告スポンサー
４　表示装置
５　ニュース表示部
６　広告表示部
７　情報表示部
８　広告コンテンツ
９　印刷ボタン
１０　情報コンテンツ
１１　印刷ボタン
１２　情報印刷部分
１３　広告印刷部分
１４　クーポン券
【図１】
2004045619.tif 000003
【図２】
2004045619.tif 000004
【図３】
2004045619.tif 000005
【図４】
2004045619.tif 000006
【図５】
2004045619.tif 000007
【図６】
2004045619.tif 000008